(57)【要約】      （修正有）【課題】段差を簡易な手段で解消することができる段差解消スロープを提供する。【解決手段】段差解消スロープＳは、第１の面１より垂直方向に高い第２の面２で生じる段差を解消する段差解消スロープＳであって、第１の面１に平行な第１の面状体３と、第２の面２に平行な第２の面状体４と、この第２の面状体４と第１の面状体３とを接続する傾斜面状体５と、第１の面状体３を第１の面１に固定する第１の固定部材６と、第２の面状体４を第２の面２に固定する第２の固定部材７とを有しているものである。【選択図】図１
0003219495.tif 000002
【実用新案登録請求の範囲】
【請求項１】
第１の面より垂直方向に高い第２の面で生じる段差を解消する段差解消スロープであって、
前記第１の面に平行な第１の面状体と、
前記第２の面に平行な第２の面状体と、
この第２の面状体と前記第１の面状体とを接続する傾斜面状体と、
前記第１の面状体を前記第１の面に固定する第１の固定部材と、
前記第２の面状体を前記第２の面に固定する第２の固定部材とを有している
ことを特徴とする段差解消スロープ。    
【請求項２】
第１の面状体は、長手方向に長い部材であり、
第２の面状体は、長手方向に長い部材であり、
傾斜面状体は、長手方向に長い部材であり、
第１の固定部材は、複数であり、
第２の固定部材は、複数であり、
前記第１の面状体が第１の面に、前記第２の面状体が第２の面に、それぞれ固定される前にあっては、前記第１の面状体が前記第１の面に平行ではなく、前記第１の面に向かうように折曲し、前記第２の面状体が前記第２の面に平行ではなく、前記第２の面に向かうように折曲している
ことを特徴とする請求項１記載の段差解消スロープ。
【考案の詳細な説明】
【技術分野】
【０００１】
本考案は、段差解消スロープに係り、特に、段差を簡易な手段で解消することができる段差解消スロープに関する。
【背景技術】
【０００２】
従来、第１の面より垂直方向に高い第２の面で生じる段差を解消する段差解消スロープがある（特許文献１参照）。
この段差解消スロープにあっては、側面視、三角形状をなし、第２の面より低い第１の面にネジ等により固定している。
【先行技術文献】
【特許文献】
【０００３】
【特許文献１】実開平５−６７７３６号公報
【考案の概要】
【考案が解決しようとする課題】
【０００４】
特許文献１記載にあっては、三角形状は、中空体で形成されていないため、材料的にコストが高くなると共に、三角形状の垂直方向に横断してネジ等で第１の面に固定するため、ネジ等を通す孔も深く形成しなければならず、取り付けが面倒であるという問題点が生じた。
【０００５】
本考案は、上記の問題点を考慮してなされた段差解消スロープを提供することにある。
【課題を解決するための手段】
【０００６】
請求項１記載の段差解消スロープは、第１の面より垂直方向に高い第２の面で生じる段差を解消する段差解消スロープであって、前記第１の面に平行な第１の面状体と、前記第２の面に平行な第２の面状体と、この第２の面状体と前記第１の面状体とを接続する傾斜面状体と、前記第１の面状体を前記第１の面に固定する第１の固定部材と、前記第２の面状体を前記第２の面に固定する第２の固定部材とを有しているものである。
【０００７】
また、請求項２記載の段差解消スロープは、請求項１記載の段差解消スロープにおいて、第１の面状体は、長手方向に長い部材であり、第２の面状体は、長手方向に長い部材であり、傾斜面状体は、長手方向に長い部材であり、第１の固定部材は、複数であり、第２の固定部材は、複数であり、前記第１の面状体が第１の面に、前記第２の面状体が第２の面に、それぞれ固定される前にあっては、前記第１の面状体が前記第１の面に平行ではなく、前記第１の面に向かうように折曲し、前記第２の面状体が前記第２の面に平行ではなく、前記第２の面に向かうように折曲しているものである。
【考案の効果】
【０００８】
請求項１記載の段差解消スロープによれば、段差解消スロープは、第１の面に平行な第１の面状体と、第２の面に平行な第２の面状体と、この第２の面状体と前記第１の面状体とを接続する傾斜面状体とを有しているため、第１の面より垂直方向に高い第２の面で生じる段差を簡易な手段で解消すると共に、傾斜面状体と第１の面状体との接続部位、傾斜面状体と第２の面状体との接続部位に屈曲部がそれぞれ形成されるため、段差解消スロープの強度を向上させることができ、しかも、前記第１の面状体を前記第１の面に固定する第１の固定部材と、前記第２の面状体を前記第２の面に固定する第２の固定部材とを有しているため、段差解消状態を保持することができる。
【０００９】
また、請求項２記載の段差解消スロープによれば、上述した請求項１記載の考案の効果に加え、第１の面状体は、長手方向に長い部材であり、第２の面状体は、長手方向に長い部材であり、傾斜面状体は、長手方向に長い部材であり、第１の固定部材は、複数であり、第２の固定部材は、複数であるため、段差解消スロープを第１の面及び第２の面に強固に取り付けることができ、また、前記第１の面状体が第１の面に、前記第２の面状体が第２の面に、それぞれ固定される前にあっては、前記第１の面状体が前記第１の面に平行ではなく、前記第１の面に向かうように折曲し、前記第２の面状体が前記第２の面に平行ではなく、前記第２の面に向かうように折曲しているため、第１の面状体が第１の面に、第２の面状体が第２の面に、それぞれ第１、第２の固定部材によって固定した場合、第１の面状体及び第２の面状体の浮き上がりを防止して、第１の面状体が第１の面に、前記第２の面状体が第２の面に、それぞれ密着して固定することができる。
【図面の簡単な説明】
【００１０】
【図１】図１は、本考案の一実施例の段差解消スロープの取り付け状態の概略的斜視図である。
【図２】図２（ａ）〜（ｃ）は、段差解消スロープの取り付け状態を示す概略的断面図であり、図２（ａ）は、第１の面より垂直方向に高い第２の面で段差が生じている状態の概略的断面図であり、図２（ｂ）は、図２（ａ）の段差を覆うように図１の段差解消スロープが設置された状態の概略的断面図であり、図２（ｃ）は、図１の段差解消スロープが第１の面及び第２の面に固定された状態の概略的断面図である。
【図３】図３は、図２（ｃ）の一部を拡大して示す概略的一部拡大断面図である。
【図４】図４は、第１の面状体が第１の面に、第２の面状体が第２の面に、それぞれ固定される前における第１の面状体、第１の面、第２の面状体、第２の面との関係を示す概略的図であり、図中、破線は、第１の面、第２の面に平行な線を表している。
【考案を実施するための形態】
【００１１】
本考案の一実施例の段差解消スロープを図１乃至図３を参照して説明する。
図１に示すＳは段差解消スロープで、この段差解消スロープＳは、第１の面（例えば、トイレの床面）１より垂直方向に高い第２の面（例えば、トイレの入口面）２で生じる段差を解消するものである。
【００１２】
図２（ｃ）に示す３は、第１の面１に平行な第１の面状体で、４は、第２の面２に平行な第２の面状体で、５は、第２の面状体４と第１の面状体３とを接続する傾斜面状体である。
６は、第１の面状体３を第１の面１に固定する第１の固定部材（例えば、ネジ）で、７は、第２の面状体４を第２の面２に固定する第２の固定部材（例えば、ネジ）である。
【００１３】
従って、上述した段差解消スロープＳによれば、段差解消スロープＳは、第１の面１に平行な第１の面状体３と、第２の面２に平行な第２の面状体４と、この第２の面状体４と第１の面状体３とを接続する傾斜面状体５とを有しているため、第１の面１より垂直方向に高い第２の面２で生じる段差を簡易な手段で解消すると共に、傾斜面状体５と第１の面状体３との接続部位Ｘ、傾斜面状体５と第２の面状体４との接続部位Ｙに屈曲部がそれぞれ形成されるため、段差解消スロープＳの強度を向上させることができ、しかも、第１の面状体３を第１の面１に固定する第１の固定部材６と、第２の面状体４を第２の面２に固定する第２の固定部材７とを有しているため、段差解消状態を保持することができる。
【００１４】
また、図１に示すように、第１の面状体３は、長手方向に長い部材であり、第２の面状体４は、長手方向に長い部材であり、傾斜面状体５は、長手方向に長い部材であり、第１の固定部材６は、複数（例えば、３個）であり、第２の固定部材７は、複数（例えば、３個）であるため、段差解消スロープＳを第１の面１及び第２の面２に強固に取り付けることができる。
【００１５】
なお、上述した実施例においては、第１の面状体３を第１の面１、第２の面状体４を第２の面２に固定した状態にあっては、第１の面状体３は、第１の面１に、第２の面状体４は、第２の面２に、それぞれ平行となっているが、
望ましくは、第１の面状体３が第１の面１に、第２の面状体４が第２の面２に、それぞれ固定される前にあっては、図４に示すように、第１の面状体３が第１の面１に平行ではなく、第１の面１に向かうように折曲し、第２の面状体４が第２の面２に平行ではなく、第２の面２に向かうように折曲しているのが良い。
【００１６】
第１の面状体３が第１の面１に、第２の面状体４が第２の面２に、それぞれ第１、第２の固定部材６、７によって固定した場合、第１の面状体３及び第２の面状体４の浮き上がりを防止して、第１の面状体３が第１の面１に、第２の面状体４が第２の面２に、それぞれ密着して固定することができる。
【符号の説明】
【００１７】
Ｓ      段差解消スロープ
１      第１の面
２       第２の面
３       第１の面状体
４       第２の面状体
５       傾斜面状体
６       第１の固定部材
７       第２の固定部材
【図１】
0003219495.tif 000003
【図２】
0003219495.tif 000004
【図３】
0003219495.tif 000005
【図４】
0003219495.tif 000006